(57)【要約】【課題】枠体の開閉操作を妨げることなく、閉止状態にある前枠と外枠との間、及び前枠と内枠との間に夫々形成される隙間から遊技領域内に不正行為実行工具を差し込むことによる不正行為を防止することができる不正防止構造を提供する。【解決手段】外枠２に対して内枠２０及び前枠３０を閉止した場合に、前枠外周部と外枠内周部との間に形成される隙間、或いは前枠外周部と内枠内周部との間に形成される隙間を遮蔽する不正防止構造であって、前枠外周部、或いは外枠内周部、又は内枠内周部に設けた支持凹所５１内には出没部材６０が出没自在に支持されており、出没部材は弾性付勢部材６５によって突出方向へ弾性付勢されており、外枠内周部、或いは内枠内周部、又は前枠外周部には、突出状態にある出没部材を嵌合させる嵌合部７０が設けられている。【選択図】図６
2010259571.tif 000002
【特許請求の範囲】
【請求項１】
一側部に軸支部を有した外枠と、遊技盤を支持し且つ該軸支部により一側部を回動可能に軸支された内枠と、前記遊技盤の前面を覆う透明板を支持し且つ前記軸支部により一側部を回動可能に軸支された前枠と、を備えたパチンコ遊技機に装備され、
前記外枠に対して前記内枠及び前記前枠を閉止した場合に、前記前枠外周部と前記外枠内周部との間に形成される隙間、或いは前記前枠外周部と前記内枠内周部との間に形成される隙間を遮蔽する不正防止構造であって、
前記前枠外周部、或いは前記外枠内周部、又は前記内枠内周部に設けた支持凹所内には出没部材が出没自在に支持されており、該出没部材は弾性付勢部材によって突出方向へ弾性付勢されており、
前記外枠内周部、或いは前記内枠内周部、又は前記前枠外周部には、突出状態にある前記出没部材を嵌合させる嵌合部が設けられていることを特徴とする不正防止構造。
【請求項２】
前記出没部材は、前部出没片と、該前部出没片の後部に配置され且つ該前部出没片とは独立して出没可能な後部出没片と、から構成され、
前記前部出没片と前記後部出没片は、夫々別個の前記弾性付勢部材によって突出方向へ弾性付勢されており、
前記後部出没片は、該後部出没片を没入させた際に前記前部出没片を連動して没入させる係合部を備え、
前記後部出没片は、前記前枠を前記外枠、或いは前記内枠に閉止する過程で、対向する他の枠によって押圧されて前記支持凹所内に没入する際に、前記係合部を介して前部出没片を没入させ、
閉止状態にある前記前枠を前記外枠、或いは前記内枠から開放する過程で、前記前部出没片、前記後部出没片の順序で前記嵌合部から離脱するように構成されていることを特徴とする不正防止構造。
【請求項３】
前記後部出没片の係合部は、該前部出没片の頭部を覆っていることを特徴とする請求項２に記載の不正防止構造。
【請求項４】
請求項１乃至３の何れか一項に記載の不正防止構造を備えたことを特徴とするパチンコ遊技機。
【発明の詳細な説明】
【技術分野】
【０００１】
本発明は、前枠と外枠との隙間、或いは前枠と内枠との隙間から遊技盤面にセル板やピアノ線等を差し込むことにより実行される不正行為を有効に防止できるパチコン遊技機の不正防止構造に関する。
【背景技術】
【０００２】
パチンコ遊技機は、遊技場の島設備に組み付けられる外枠と、遊技盤を支持すると共に外枠により一側端縁を回動可能に軸支された内枠と、遊技盤の前面を覆う透明板を支持すると共に外枠により一側端縁を回動可能に軸支された前枠と、を備えている。
従来から、外枠に対して閉止された状態にある内枠に対して前枠を閉止した際に、前枠の外周部と外枠の内周部との間に形成される隙間、或いは前枠の外周部と内枠の内周部との間に形成される隙間から、セル板、ピアノ線等の不正行為実行具を遊技領域内に差し込んで遊技球や盤面部品に干渉して遊技者に有利に遊技を進行させる不正行為が行われている。
このような不正行為を阻止するために特開平８−１６４２４８号には、内レールとガラス面との間に跨って軟質材から成る不正防止片を配置することにより、不正行為実行具の挿入を防止する技術が開示されている。
しかし、この従来技術にあっては、内レールが配置されている領域に限って不正行為実行具の挿入を防止できるに過ぎず、図柄表示装置の大型化に伴って盤面領域が拡大した昨今のパチンコ遊技機においては、内レールが配置されていない領域からの不正行為実行具の挿入が可能となっており、不正行為を防止するには不十分であった。
このような不具合に対処するために、特開２００８−２８９７７８号には、遊技盤を保持した内枠の左側端縁に断面コ字状のリブを設けると共に、遊技盤を覆うガラス板を保持した前枠の左側端縁にはＩ字状のリブを設け、内枠に対して前枠を閉止したときにコ字状リブの凹所内にＩ字状リブが嵌合して両枠間の隙間を埋めるようにした不正防止構造が提案されている。
しかし、内枠と前枠の隙間内にコ字状リブの固定面が位置しているため、バール、ドライバー等の不正行為実行工具を隙間から差し込んでリブを内枠から離脱させて不正行為実行具を差し込む隙間を新たに形成することが可能であり、不正行為を防止するには十分でなかった。また、この不正防止構造では、各枠体の軸支部（左側縁）以外に形成される隙間からセル板等を挿入した上での不正行為に対処することはできない。
【先行技術文献】
【特許文献】
【０００３】
【特許文献１】特開平８−１６４２４８号公報
【特許文献２】特開２００８−２８９７７８公報
【発明の概要】
【発明が解決しようとする課題】
【０００４】
以上のように従来のパチンコ遊技機にあっては、閉止状態にある前枠と外枠との間、及び前枠と内枠との間に夫々形成される隙間から遊技領域内にセル板、ピアノ線等を差し込んで不正行為を行うことが可能であった。前記隙間を埋めるために内枠と前枠の一側端に沿った位置にリブを設けることも行われてはいるが、リブを工具によって破壊すればセル板等を挿入するための隙間を新たに形成することが可能である。また、リブを配置し得ない他辺に形成される隙間からの不正行為には対処することができなかった。また、各枠体は、遊技場において頻繁に開閉されるため、開閉操作を妨げることなく不正行為を防止することができる不正防止構造の開発が期待されていたが、これまで提案されていない。
本発明は上記に鑑みてなされたものであり、枠体の開閉操作を妨げることなく、閉止状態にある前枠と外枠との間、及び前枠と内枠との間に夫々形成される隙間から遊技領域内に不正行為実行工具を差し込むことによる不正行為を防止することができる不正防止構造を提供することを目的としている。
【課題を解決するための手段】
【０００５】
上記目的を達成するため、請求項１の発明に係る不正防止構造は、一側部に軸支部を有した外枠と、遊技盤を支持し且つ該軸支部により一側部を回動可能に軸支された内枠と、前記遊技盤の前面を覆う透明板を支持し且つ前記軸支部により一側部を回動可能に軸支された前枠と、を備えたパチンコ遊技機に装備され、前記外枠に対して前記内枠及び前記前枠を閉止した場合に、前記前枠外周部と前記外枠内周部との間に形成される隙間、或いは前記前枠外周部と前記内枠内周部との間に形成される隙間を遮蔽する不正防止構造であって、前記前枠外周部、或いは前記外枠内周部、又は前記内枠内周部に設けた支持凹所内には出没部材が出没自在に支持されており、該出没部材は弾性付勢部材によって突出方向へ弾性付勢されており、前記外枠内周部、或いは前記内枠内周部、又は前記前枠外周部には、突出状態にある前記出没部材を嵌合させる嵌合部が設けられていることを特徴とする。
外枠に対して頻繁に開閉される前枠、又は内枠は開閉がスムーズに行われる必要がある一方で、不正行為実行具による侵入防止のため隙間を形成したくないという要請がある。本発明の不正防止構造は、枠体の四辺に対して取り付けることによって、枠体閉止時に形成される隙間を遮蔽して不正行為実行具の挿入を防止できる。即ち、枠体閉止時には出没部材が隙間に突出した状態となるためセル板等を挿入することが困難化する一方で、出没部材は弾性的に付勢されているため、枠体の開閉時には支持凹所内に没入し、開閉操作に支障を及ぼすことがない。
【０００６】
請求項２の発明に係る不正防止構造は、前記出没部材は、前部出没片と、該前部出没片の後部に配置され且つ該前部出没片とは独立して出没可能な後部出没片と、から構成され、前記前部出没片と前記後部出没片は、夫々別個の前記弾性付勢部材によって突出方向へ弾性付勢されており、前記後部出没片は、該後部出没片を没入させた際に前記前部出没片を連動して没入させる係合部を備え、前記後部出没片は、前記前枠を前記外枠、或いは前記内枠に閉止する過程で、対向する他の枠によって押圧されて前記支持凹所内に没入する際に、前記係合部を介して前部出没片を没入させ、閉止状態にある前記前枠を前記外枠、或いは前記内枠から開放する過程で、前記前部出没片、前記後部出没片の順序で前記嵌合部から離脱するように構成されていることを特徴とする。
出没部材を前後に分離して独立して出没可能に構成したので、枠体閉止時に隙間から不正行為実行具を差し込んで前部出没片を退避させることに成功したとしても、後部出没片が隙間を閉止しているため、不正行為を完遂することは困難となる。
【０００７】
請求項３の発明に係る不正防止構造は、請求項２において、前記後部出没片の係合部は、該前部出没片の頭部を覆っていることを特徴とする。
請求項４の発明に係るパチンコ遊技機は、請求項１乃至３の何れか一項に記載の不正防止構造を備えたことを特徴とする。
【発明の効果】
【０００８】
本発明においては、外枠、内枠、及び前枠を開閉自在に軸支したパチンコ遊技機において、スムーズな枠体の開閉操作を妨げることなく、閉止時に各枠体の四辺間に形成される隙間を確実に埋めて不正行為実行具の挿入を阻止することができる。
【図面の簡単な説明】
【０００９】
【図１】本発明の一実施形態に係る不正防止構造を備えたパチンコ遊技機の外観斜視図である。
【図２】図１のパチンコ遊技機において閉止状態にある外枠と内枠に対して前枠だけを開放した状態の斜視図である。
【図３】図１のパチンコ遊技機において外枠に対して前枠と内枠を共に開放した状態を示す斜視図である。
【図４】外枠単体の外観図である。
【図５】外枠の軸支部によって前枠の被軸支部を軸支した状態を示しており、（ａ）は開放状態、（ｂ）は閉止状態を示した斜視図である。
【図６】（ａ）（ｂ）及び（ｃ）は本発明の特徴的部分の構成を示す断面図である。
【図７】（ａ）（ｂ）及び（ｃ）は本発明の他の実施形態に係る要部構成図である。
【図８】（ａ）及び（ｂ）は図７の実施形態に係る動作説明図である。
【図９】本発明の他の実施形態に係る要部構成図である。
【発明を実施するための形態】
【００１０】
以下、本発明を添付図面に示した実施の形態により詳細に説明する。
図１は本発明の一実施形態に係る不正防止構造を備えたパチンコ遊技機の外観斜視図であり、図２は図１のパチンコ遊技機において閉止状態にある外枠と内枠に対して前枠だけを開放した状態の斜視図であり、図３は図１のパチンコ遊技機において外枠に対して前枠と内枠を共に開放した状態を示す斜視図であり、図４は外枠単体の外観図であり、図５は外枠の軸支部によって前枠の被軸支部を軸支した状態（内枠は省略）を示しており、（ａ）は開放状態、（ｂ）は閉止状態を示した斜視図であり、図６（ａ）（ｂ）及び（ｃ）は本発明の特徴的部分の構成を示す断面図である。
【００１１】
パチンコ遊技機１の骨格構造は、各図に示すように矩形枠形状の外枠（枠体）２の一側端（左側端）２ａの上下端部から夫々前方へ突設した板状の軸支部３、４によって、遊技盤を支持する内枠（遊技盤取付け枠＝枠体）２０の一側端（左側端）２０ａの上下端部から夫々前方へ突設した被軸支部２１、２２と、ガラス板を支持する外枠（ガラス枠＝枠体）３０の一側端部（左側端部）３０ａの上下端部から夫々前方へ突設した被軸支部３１、３２とを同時に軸支することによって、外枠２に対して内枠２０、及び前枠３０を夫々開閉自在に支持した構成となっている。
外枠２の軸支部３、４のうちの上側の軸支部３は、板状片の先端に略円形（Ω形状）の切欠き部３ａを形成した構成を備え、下側の軸支部４は板状片に軸穴４ａを設けた構成を備えている。
内枠２０の被軸支部２１、２２は、外枠の各軸支部３、４に設けた切欠き部３ａ、及び軸穴と整合する軸穴２１ａ、２２ａを備えており、上側の被軸支部３１は上側の軸支部３の上面に当接され、下側の被軸支部３２は下側の軸支部４の下面に当接される。
【００１２】
前枠３０の上側の被軸支部３１はその上面に設けた穴内に出没自在に支持した図示しないピンを上方へ弾性付勢した構成を備え、下側の被軸支部３２はその上面に設けた穴内に出没自在に支持した図示しないピンを上方へ弾性付勢した構成を備えている。各被軸支部３１、３２に設けた各ピンは、外枠２の軸支部３、４（切欠き部３ａ、軸穴４ａ）に対して内枠２０の各被軸支部（軸穴２１ａ、２２ａ）を夫々連通させた状態で、これら（切欠き部３ａ及び軸穴２１ａ、軸穴４ａ及び軸穴２２ａ）に対して夫々挿通されることにより、各ピンを回転中心として外枠の軸支部に対して内枠、前枠を夫々独立して開閉自在に支持している。
なお、上記した各軸支部や各被軸支部の組付け構造は一例に過ぎず、各部の形状、構造、組付け位置関係などは種々選択、変形が可能であり、どのような枢軸部の構造を備えたパチンコ遊技機に対しても本発明の不正防止構造は適用可能である。
【００１３】
本発明の不正防止構造５０は、一側端２ａに軸支部３、４を有した外枠２と、遊技盤を支持し且つ軸支部３、４により一側端２０ａ（被軸支部２１、２２）を略水平方向へ回動可能に軸支された内枠２０と、遊技盤の前面を覆うガラス板（透明板）を支持し且つ軸支部３、４により一側端３０ａ（被軸支部３１、３２）を略水平方向へ回動可能に軸支された前枠３０と、を備えたパチンコ遊技機に装備される。そして、不正防止構造５０は、外枠２に対して内枠２０及び前枠３０を閉止した場合に、前枠外周部３０Ａと外枠内周部２Ａとの間に形成される隙間Ｇ、或いは前枠外周部３０Ａと内枠内周部２０Ａとの間に形成される隙間を遮蔽する手段である。
【００１４】
不正防止構造５０は、外枠２に対して他の枠体２０、３０を開閉する際には、開閉の妨げとなることがない一方で、閉止状態にある枠体間の隙間からセル板、ピアノ線等の不正行為実行具を挿入しようとしても隙間内に挿入阻止部材があるために挿入が不可能となるように機能する。
即ち、前枠外周部３０Ａ、或いは外枠内周部２Ａ、又は内枠内周部２０Ａに設けた支持凹所５１内には挿入阻止部材としての出没部材６０が出没自在に支持されており、出没部材６０は弾性付勢部材６５によって支持凹所外へ突出する方向へ弾性付勢されている。一方、出没部材６０が設けられた枠体と対向する他方の枠体、即ち外枠内周部２Ａ、或いは内枠内周部２０Ａ、又は前枠外周部３０Ａには、突出状態にある出没部材６０を嵌合させる嵌合部７０が設けられている。
なお、支持凹所５１、出没部材６０、及び弾性付勢部材６５は、出没ユニットＵを構成している。
つまり、パチンコ遊技機の機種によって前枠外周部と外枠内周部とが対向する場合には当該対向面に、また前枠外周部と内枠内周部とが対向する場合には当該対向面に、夫々出没ユニットＵと嵌合部７０を対向配置することにより、不正防止構造５０を構築する。
【００１５】
前枠３０に出没ユニットＵを設けた場合に前枠が開放状態にある時には、弾性付勢部材６５によって突出状態に保持された出没部材６０は、前枠３０を外枠２、或いは内枠２０に閉止する過程で、対向する他の枠体２、２０側の当接部によって押圧されて一旦支持凹所５１内に没入してから、その後他の枠体２、３０に設けた嵌合部７０内に突出して嵌合する。出没部材６０が嵌合部７０内に突出することによって、枠体間が仮係止された状態となる。遊技場に設置されたパチンコ遊技機では、３つの枠体２、２０、３０を閉止した状態で開放しないようにロックされるが、ロックを解除した状態で前枠３０、或いは内枠２０を開放方向に回動させると、出没部材６０が嵌合部７０から離脱して開放される。
なお、出没ユニットＵ及び嵌合部７０からなる不正防止構造５０は、矩形の各枠体２、２０、３０の左辺、上辺、下辺、及び右辺のうちの全て、又は少なくとも一辺に設けられている。
なお、図６は、前枠３０の下辺の下面（前枠外周部３０Ａの一部）と、外枠２の下辺の上面（外枠内周部２Ａの一部）の何れか一方に出没ユニットＵを配置し、他方に嵌合部７０を配置して両者を対向させた構成例を示している。図示した構成例では、出没ユニットＵを前枠の下辺に配置し、嵌合部７０を外枠の下辺に配置した例を示しているが、逆であってもよい。
【００１６】
図６に示すように前枠３０の下辺に設けた出没ユニットＵは、該下辺の下面（外周面）に設けた所要深さの支持凹所５１内に砲弾型の出没部材６０を出没自在（且つ抜け落ち不能）に支持すると共に、出没部材６０を弾性付勢部材（コイルバネ）６５によって突出方向へ弾性付勢した構成を備えている。出没部材６０は先端部から外周面にかけて湾曲面となっている。支持凹所５１内に配置された弾性付勢部材６５は、図６（ａ）のように前枠３０が開放位置にあるとき、及び（ｃ）のように閉止位置にあるときに出没部材６０を突出させる一方で、（ｂ）のように前枠の下辺下面が外枠の下辺上面にオーバーラップした閉止前の状態では外枠下辺上面によって出没部材が押圧されるため圧縮状態となるように構成されている。
即ち、図６（ａ）のように前枠３０が外枠から離間した開放状態では出没部材６０は障害物がないために弾性付勢部材６５による押圧により突出状態にあるが、（ｂ）のように前枠を閉止する途中で出没部材６０が外枠下辺上面に接した状態では弾性付勢部材６５に抗して出没部材６０は支持凹所５１内に没入しつつその先端部で外枠下辺上面を滑りつつ最後には嵌合部７０内に嵌合して突出する。図６（ｃ）に示した閉止状態では、前枠と外枠との間の隙間Ｇは出没部材６０によって遮断されているため、セル板等を差し込むことが不可能となる。セル板を無理に差し込もうとしてもセル板先端が出没部材６０の外面に当たるだけで、それ以上内部に差し込むことはできない。
【００１７】
出没部材６０は、先端部から外周面にかけて曲面状に外径が増大する略テーパー状であるため、（ｂ）のように外枠下辺の角部と当接してから外枠下辺上面に乗り上げる時にスムーズに支持凹所５１内に没入することができる。
出没ユニットＵ及び嵌合部７０からなる不正防止構造５０は、セル板等を差し込むことが可能な隙間Ｇが形成される範囲、例えば、前枠下辺の略全長、及び外枠下辺の略全長に渡って形成する。なお、両枠体２、３０の間に隙間が形成されない部分がある場合には、この部分を回避した部位のみに不正防止構造５０を設ければよい。
なお、この不正防止構造５０は、前枠と外枠の他の３辺にも夫々必要に応じて設けることができる。
【００１８】
次に、図７は本発明の他の実施形態に係る要部構成図である。
この実施形態に係る不正防止構造５０では、出没部材６０は、前部出没片６１と、前部出没片６１の後方に近接配置され且つ前部出没片とは独立して出没可能な後部出没片６２と、から構成されている。
前部出没片６１と後部出没片６２が図７（ａ）のように結合した状態にあるときには、出没部材６１の全体形状は頭部から外周部にかけて外径が曲面状に漸増する略砲弾形状となっている。前部出没片６１と後部出没片６２は、夫々別個の弾性付勢部材６５ａ、６５ｂによって個別に突出方向へ弾性付勢されている。後部出没片６２は、後部出没片を没入させた際に前部出没片６１を連動して没入させる係合部６２ａを備えている。本例に係る係合部６２ａは、前部出没片の頭部を覆うように前方へ突出している。このため、後部出没片は、前枠を外枠に閉止する過程で、外枠によって押圧されて支持凹所内に没入する際に、係合部６２ａにより前部出没片６１を押圧して没入させることができる。また、閉止状態にある前枠を外枠から開放する過程では、図８に示すように前部出没片６１、後部出没片６２の順序で嵌合部７０から離脱するように構成されている。図８（ａ）のように前部出没片６１が嵌合部７０の内周角部との当接によって支持凹所５１内に没入した際に、後部出没片６２は嵌合部７０内に突出した状態にあるが、後部出没片６２の頭部は湾曲面となっているため、前枠３０の開放動作に伴って嵌合部の内壁に沿って上昇し、最後は内周角部を乗り越えて図８（ｂ）の状態に移行する。
【００１９】
このように出没部材６０を、支持凹所５１内に独立して没入する前部出没片６１と後部出没片６２とによって構成したことにより、前枠３０が外枠２に対して閉止した状態（図７（ｃ））において、隙間Ｇの前方からセル板８０を差し込もうとしても出没部材６０を越えて内側へ移動することは不可能となる。万が一、セル板８０を隙間に差し込むことによって前部出没片６１を弾性付勢部材６５ａに抗して支持凹所５１内に没入させることに成功したとしても、その直後に位置する後部出没片６２の前面（セル板の進行方向と直交する平坦面）にセル板が当接するため、それ以上の侵入は不可能となる。
なお、前部出没片６１と後部出没片６２との関係は、前枠３０の閉止過程で後部出没片６２が外枠によって押圧されて支持凹所５１内に没入する際に係合部６２ａを介して前部出没片６１を没入させる一方で、前枠３０の開放過程では前部出没片６１、後部出没片６２の順序で支持凹所５１内に没入するように機能すれば、どのような構成であっても良い。従って、例えば図９のように構成してもよい。図９に示した出没部材６０は、前部出没片６１の後部に設けた段差部６１ａを後部出没片６２の前部に設けた係合部６２ａにより係止する構成とすることにより、前枠の閉止過程で係合部６２ａを介して前部出没片６１を没入させるように構成する。一方、前部出没片６１はその前面が湾曲したテーパー状となっているため、前枠３０の開放過程では嵌合部７０の内周角部によって押圧されて支持凹所内に没入する。前部出没片６１の没入後に嵌合部７０内に突出した状態にある後部出没片６２の先端部前面は湾曲したテーパー状となっているため、前枠３０の開放過程で嵌合部７０の内壁に沿って移動し最後に内周角部によって押圧されて支持凹所内に没入することができる。
【００２０】
上記実施形態では、出没部材、出没片の高さ寸法（突出方向寸法）を長手方向全長に渡って一定とした例を示したが、これらの高さ寸法を長手方向に沿って異ならせても良い、即ち、長手方向一端側から中央に向けてテーパー状に高さ寸法を漸減させたり、漸増させたり、或いは部分的な高さ寸法を大きくしたり、小さくしてもよい。このように構成することにより、各枠体の開閉操作をスムーズ化することが可能となる。
なお、上記実施形態では、前枠３０の外周部と外枠２の内周部との間に不正防止構造５０を設けた例を示したが、前枠の外周部と内枠２０の内周部との間に不正防止構造５０を設けてもよい。
【符号の説明】
【００２１】
１…パチンコ遊技機、２…外枠、２Ａ…外枠内周部、２ａ…一側端、３…軸支部、３ａ…部、４…軸支部、４ａ…軸穴、２０…内枠、２０Ａ…内枠内周部、２０ａ…一側端、２１、２２…被軸支部、２１ａ…軸穴、２２ａ…軸穴、３０…前枠、３０Ａ…前枠外周部、３０ａ…一側端、３１…被軸支部、３２…被軸支部、５０…不正防止構造、５１…支持凹所、６０…出没部材、６１…前部出没片、６１ａ…段差部、６２…後部出没片、６２ａ…係合部、６５…弾性付勢部材、６５ａ…弾性付勢部材、７０…嵌合部、８０…セル板
【図１】
2010259571.tif 000003
【図２】
2010259571.tif 000004
【図３】
2010259571.tif 000005
【図４】
2010259571.tif 000006
【図５】
2010259571.tif 000007
【図６】
2010259571.tif 000008
【図７】
2010259571.tif 000009
【図８】
2010259571.tif 000010
【図９】
2010259571.tif 000011